(57)【要約】【課題】テレビジョン受像機の画像表示部の傾倒を加速度センサーによって直接的に検知してエアバッグを作動させることのできるテレビジョン受像機の転倒保護装置を提供する。エアバッグによる衝撃緩和作用を顕著に発揮させる。【解決手段】加速度センサー４０をテレビジョン受像機１０の画像表示部２０に設ける。加速度センサー４０は、画像表示部２０の傾倒角度が基準値を超えたことを検出してその基準値超信号を出力する。エアバッグ５０を画像表示部２０に設ける。インフレータ５５を起動すると、エアバッグ５０が膨張して画像表示部２０の前後両側に向けて迫り出す。エアーバッグ５０が、通気性を備えた布又は不織布によって作られている。【選択図】図５
2012222737.tif 000002
【特許請求の範囲】
【請求項１】
テレビジョン受像機に設置された加速度センサー及びエアバッグを有し、加速度センサーによってテレビジョン受像機の傾倒が検出されることを通じて、上記エアバッグが膨張するように構成されているテレビジョン受像機の転倒保護装置において、
上記加速度センサーが、テレビジョン受像機の上記画像表示部に設けられていて、その画像表示部の傾倒角度が基準値を超えたことを検出してその基準値超信号を出力する機能を備え、
上記エアバッグが上記画像表示部に設けられていると共に、起動により発生させたガスを上記エアバッグに給送してそのエアバッグを膨張させるインフレータと、上記加速度センサーから出力された上記基準値超信号に基づいて上記インフレータを起動させる制御回路と、を備えていることを特徴とするテレビジョン受像機の転倒保護装置。
【請求項２】
上記エアバッグは、その膨張によって上記画像表示部の前後両側に向かって迫り出すように構成されている請求項１に記載したテレビジョン受像機の転倒保護装置。
【請求項３】
上記エアーバッグが、通気性を備えた布又は不織布によって作られている請求項１又は請求項２に記載したテレビジョン受像機の転倒保護装置。
【発明の詳細な説明】
【技術分野】
【０００１】
本発明は、テレビジョン受像機の転倒保護装置、特に、エアバッグを膨張させることによってテレビジョン受像機の転倒に伴う衝撃を緩和してその損壊を防いだり、人・物に対する衝撃を緩和させたりするための対策が講じられたテレビジョン受像機の転倒保護装置に関する。
【背景技術】
【０００２】
近時、テレビジョン受像機については、薄形化及び大形化の傾向が著しく、それに伴って地震やその他の原因による転倒時の損壊を防いだり人・物に対する衝撃を緩和させたりするための対策を講じることが行われている（たとえば、特許文献１参照）。
【０００３】
図７及び図８は、特許文献１によって提案されている先行例に係るテレビジョン受像機の耐震構造によって発揮され得る作用を示した説明図である。この耐震構造は、テレビジョン受像機１００のスタンド１０１に設置された傾きセンサー１１０、モータ１２０、突張り部材１３０、エアバッグ１４０などを備えている。この耐震構造において、テレビジョン受像機１００が図７に仮想線で示した正常な起立姿勢から矢印Ｒ１のように傾倒すると、傾きセンサー１１０が一定角度の傾きを検出し、その検出信号によって突張り部材１３０が図７のように飛び出してテレビジョン受像機１００を支える。そして、テレビジョン受像機１００が図８矢印Ｒ２のようにさらに傾倒すると、傾きセンサー１１０の検出信号によってエアバッグ１４０が膨張する。そのため、テレビジョン受像機１００が転倒しても、エアバッグ１４０が衝撃を吸収してテレビジョン受像機の損壊が防止されたり、人・物に対する衝撃が緩和されたりする。
【０００４】
他の先行例では、電気機器の転倒を防ぐために、震動センサーによる震動検出信号に基づいて、電気機器に設けた支持脚を当該機器の外側へ突出させる、という動作を通じて、その電気機器の転倒を防ぐことが提案されている（たとえば、特許文献２参照）。
【０００５】
他の先行例では、家屋の天井部分に設置したエアバッグを、インフレータの駆動によって膨張させることにより、室内の家具や人などを保護することも提案されている（たとえば、特許文献３参照）。
【０００６】
さらに他の先行例には、自動車に装備されるエアバッグの特性についての記述がある（たとえば、特許文献４参照）。
【先行技術文献】
【特許文献】
【０００７】
【特許文献１】特開２００７−２７４３０２号公報
【特許文献２】特開２００６−１４１４５８号公報
【特許文献３】特開２０１０−２３０号公報
【特許文献４】特開平５−３０１５５５号公報
【発明の概要】
【発明が解決しようとする課題】
【０００８】
図７及び図８を参照して説明した先行例（特許文献１）によるテレビジョン受像機の耐震構造では、傾きセンサーがテレビジョン受像機のスタンドに設けられているために、大地震などに際してスタンドの支持機能が失われたようなときには、テレビジョン受像機の画像表示部だけが転倒してしまい、そのときには、エアバッグが作動せずにテレビジョン受像機が損壊したり、テレビジョン受像機が人・物に衝突して傷付けるといった危険がある。
【０００９】
本発明は、以上の状況のもとでなされたものであり、テレビジョン受像機の画像表示部の傾倒を加速度センサーによって直接的に検知してエアバッグを作動させることのできるテレビジョン受像機の転倒保護装置を提供することを目的とする。
【００１０】
また、本発明は、テレビジョン受像機が、前倒れ状態に転倒した場合や、後倒れ状態に転倒した場合のいずれの場合であっても、エアバッグの作動によってテレビジョン受像機の損壊を防いだり、人・物の衝撃を緩和させたりすることのできるテレビジョン受像機の転倒保護装置を提供することを目的とする。
【００１１】
さらに、本発明は、膨張したエアバッグが人・物に衝突したときに、その衝突力に応じてガスがエアバッグの外部へ逃がされるような対策を講じることによって、エアバッグによる衝撃緩和作用を顕著に発揮させることのできるテレビジョン受像機の転倒保護装置を提供することを目的とする。
【課題を解決するための手段】
【００１２】
本発明に係るテレビジョン受像機の転倒保護装置は、テレビジョン受像機に設置された加速度センサー及びエアバッグを有し、加速度センサーによってテレビジョン受像機の傾倒が検出されることを通じて、上記エアバッグが膨張するように構成されている。そして、上記加速度センサーが、テレビジョン受像機の上記画像表示部に設けられていて、その画像表示部の傾倒角度が基準値を超えたことを検出してその基準値超信号を出力する機能を備え、上記エアバッグが上記画像表示部に設けられていると共に、起動により発生させたガスを上記エアバッグに給送してそのエアバッグを膨張させるインフレータと、上記加速度センサーから出力された上記基準値超信号に基づいて上記インフレータを起動させる制御回路と、を備えている。
【００１３】
この構成であれば、テレビジョン受像機の画像表示部に設けられた加速度センサーによって、その画像表示部の傾倒が直接的に検出される。そして、加速度センサーから出力された基準値超信号に基づいて制御回路がインフレータを起動させ、そのインフレータの起動により発生したガスでエアバッグが膨張する。したがって、テレビジョン受像機が転倒しても、そのときの衝撃がエアバッグによって緩和されて、テレビジョン受像機が損壊するという事態が未然に防止される。また、テレビジョン受像機が転倒しても、画像表示部が直に人・物に衝突するという危険が防止される。
【００１４】
本発明において、上記エアバッグは、その膨張によって上記画像表示部の前後両側に向かって迫り出すように構成されている、という構成を採用することが可能である。この構成を採用しておくと、テレビジョン受像機が前倒れ状態に転倒した場合や、後倒れ状態に転倒した場合のいずれの場合であっても、エアバッグの作動によってテレビジョン受像機の損壊が防止され、人・物に対する衝撃が緩和される。
【００１５】
本発明では、上記エアーバッグが、通気性を備えた布又は不織布によって作られていることが望ましい。エアバッグは、テレビジョン受像機が転倒するときに急峻に膨張するので、膨張したエアバッグで衝撃を吸収させてしまうと、比較的大きな衝撃作用がテレビジョン受像機の画像表示部や人・物などに加わり、そのために、テレビジョン受像機が損壊したり人・物に危険が及ぶことがある。そこで、この発明のように、エアバッグを通気性を備えた布又は不織布によって作っておくと、膨張したエアバッグが人・物に衝突したときにその衝突力に応じてガスがエアバッグの外部へ逃がされる。そのため、エアバッグによる衝撃緩和作用が顕著に発揮されるようになり、テレビジョン受像機の損壊がいっそう確実に防止され、人・物に対する危険性もいっそう少なくなる。
【発明の効果】
【００１６】
以上のように、本発明に係るテレビジョン受像機の転倒保護装置によれば、テレビジョン受像機の画像表示部の傾倒を加速度センサーによって直接的に検知してエアバッグを作動させることができるので、大地震などに際してスタンドが支持機能を失ったような場合でも、画像表示部の損壊を有効に防止したり、人・物に対する危険を有効に軽減させることができる。具体的には、テレビジョン受像機が転倒して破損するという事態や、人に転倒したテレビジョン受像機が直接的に衝突して怪我をするという危険性が軽減される。
【００１７】
また、エアバッグを通気性の布又は不織布で作っておくと、膨張したエアバッグが人・物に衝突したときに、その衝突力に応じてガスがエアバッグの外部へ逃がされるために、エアバッグによる衝撃緩和作用が顕著に発揮されるようになり、テレビジョン受像機の損壊がいっそう確実に防止され、人・物に対する危険性もいっそう少なくなるという効果が奏される。
【図面の簡単な説明】
【００１８】
【図１】本発明の実施形態に係る転倒保護装置を備えたテレビジョン受像機の概略正面図である。
【図２】同テレビジョン受像機の変形例の概略正面図である。
【図３】ユニット化された転倒保護装置の概略斜視図である。
【図４】エアバッグの作用を例示した説明図である。
【図５】テレビジョン受像機の本来的回路や転倒保護用部品を説明的に示した概略構成図である。
【図６】転倒保護用部品の実行フローを示した説明図である。
【図７】先行例に係るテレビジョン受像機の耐震構造によって発揮され得る作用を示した説明図である。
【図８】先行例に係るテレビジョン受像機の耐震構造によって発揮され得る他の作用を示した説明図である。
【発明を実施するための形態】
【００１９】
図１は本発明の実施形態に係る転倒保護装置を備えたテレビジョン受像機１０の概略正面図、図２は同テレビジョン受像機１０の変形例の概略正面図である。また、図３はユニット化された転倒保護装置の概略斜視図である。さらに、図４はエアバッグ５０の作用を例示した説明図である。
【００２０】
図１及び図２において、テレビジョン受像機１０は、薄型大サイズの画像表示部２０と、その画像表示部２０を支えているスタンド３０とを備えていて、通常姿勢では、床面や置き台の上に載置されたスタンド３０によって画像表示部２０が起立姿勢に保たれている。画像表示部２０は、キャビネットの額縁部２１や、その額縁部２１によって囲まれた画像表示面２５などを備えている。
【００２１】
テレビジョン受像機１０には、それ本来の機能を発揮させるのに必要な回路（本来的回路）である受信復調回路、入力回路、制御回路、画像出力回路が備わっていることは勿論、転倒保護装置を構成している機能部品（転倒保護用部品）であるところの、加速度センサー４０やエアバッグ５０、図１及び図２には図示していないインフレータ（ガス発生器）、インフレータを制御するための制御回路、などが備わり、さらに、本来的回路と転倒保護用部品に共通の電源回路や、転倒保護用部品の電源として利用される充電回路なども備わっている。
【００２２】
図１の事例では、２個の加速度センサー４０，４０が、額縁部２１の左右の辺部の対称位置に振り分けて内蔵されている。これに対し、図２の事例では、１個の加速度センサー４０が、額縁部２１の上辺部に内蔵されている。加速度センサー４は、画像表示部２０の傾倒角度が基準値を超えたことを検出してその基準値超信号を出力する機能（倒れ有無検出信号の出力機能）と、画像表示部２０の傾倒方向を検出してその傾倒方向に見合って前倒れ信号と後倒れ信号とを選択的に出力する機能（倒れ方向検出信号の出力機能）と、を備えている。
【００２３】
図１のように、額縁部２１の左右の辺部に２個の加速度センサー４０，４０を設置するときには、テレビジョン受像機１０の高さ方向において、その天辺から全高Ｈの３０％以内の領域Ｚ１に設置しておくことが望ましい。図２のように、加速度センサー４０を額縁部２１の上辺部に設置するときには、画像表示部２０の全幅Ｗの５０％以内の中央付近の領域Ｚ２に設置しておくことが望ましい。上記のように加速度センサー４０の設置箇所を定めておくと、加速度センサー４０に伝わる前方又は後方への傾倒時の画像表示部２０の振れ幅が大きくなるので、傾倒時の振れ幅が小さく抑えられる画像表示部の下端部やスタンド３０に加速度センサーを設置した場合に比べて、画像表示部２１の傾倒有無や傾倒方向が加速度センサー４０によって正確に検知されやすくなる。そのため、加速度センサー４０の精度や感度をそれほど高くしなくても、画像表示部２１の傾倒の有無や傾倒方向を正確に検出させることが可能になる。したがって、特別に高精度で高感度の高価な加速度センサー４０を用いる必要がなくなり、そのことが加速度センサーのコストを安価に抑えることができるようになるという利点がある。また、大地震などに際して、スタンド３０が支持機能を喪失したような場合でも、画像表示部２０の傾倒が加速度センサー４０によって直接的に検出されるという利点がある。
【００２４】
図１又は図２に示した事例では、エアバッグ５０が、額縁部２１の左右の辺部の上部に設置されている。このエアバッグ５０は、脱気された折畳み状態で額縁部２１の内部の格納スペースに収容されている。このエアバッグ５０は、後述するインフレータの起動によって発生したガスが給送されることにより、瞬時に膨張して額縁部２１に設けられている開口２２からその外方へ迫り出すように構成されている。エアバッグ５０の膨張時の迫り出し方向は、画像表示部２０の前後両側に向かう方向であっても、画像表示部２０の前方に向かう方向であっても、画像表示部２０の後方に向かう方向であってもよい。しかし、好ましくは、画像表示部２０の前後両側に向かう方向であり、そのように、膨張したエアバッグ５０が画像表示部２０の前後両側に向かって迫り出すようになっていると、画像表示部２０が前方又は後方のいずれの方向に傾倒しても、そのエアバッグ５０による緩衝作用が有効に発揮されるようになる。
【００２５】
エアバッグ５０は、通気性を備えた布又は不織布によって袋状に作られている。エアバッグ５０を通気性の布又は不織布で作っておくと、膨張したエアバッグ５０が人・物に衝突したときに、エアバッグ５０の内部に閉じ込められているガスによる緩衝作用と、衝突力に応じてガスがエアバッグ５０の外部へ逃がされることによる緩衝作用と、が相乗するので、エアバッグ５０による衝撃緩和作用が顕著に発揮されるという利点があり、その利点のために、テレビジョン受像機１０の損壊がいっそう確実に防止され、人・物に対する危険性もいっそう少なくなる。
【００２６】
図１及び図２では、加速度センサー４０及びエアバッグ５０の両方を画像表示部２０の額縁部２１に内蔵した事例を示してあるけれども、図３のようにエアバッグ５０及びインフレータ（不図示）、加速度センサー（不図示）のような上記した転倒保護用部品をユニット化することも可能である。同図のユニットＵは、コンパクトな樹脂成形体でなる筐体６１に、脱気した折畳み状態エアバッグ５０、インフレータ、加速度センサーその他の転倒保護用部品を収容させてあると共に、その筐体６１に二股脚部６２を具備させてなる。そして、二股脚部６２を額縁部２１の上辺部に嵌め込んでそのユニットＵを額縁部２１に保持させてある。また、ユニットＵに内蔵されている制御回路が、テレビジョン受像機１０に本来的に備わっている電源回路に図示していない中継線を介して接続されている。このように転倒保護用部品を内蔵したユニットＵを額縁部２１に着脱可能に構成しておくと、エアバッグを具備していないテレビジョン受像機１０に転倒防止装置を事後的に手軽に装着することができるという利便性がある。なお、図３に示したユニットＵの筐体６１は前後に開口２２を備えていて、膨張したエアバッグ５０がそれらの前後の開口２２から前後両側に迫り出すようになっている。
【００２７】
図４に示したように、テレビジョン受像機１０の画像表示部２０が矢印Ｆのように前方へ傾倒したときには、膨張して画像表示部２０の前方へ迫り出したエアバッグ５０が床面などに衝突してそのときの衝撃を緩和する作用を発揮する。また、画像表示部２０が矢印Ｒのように後方へ傾倒したときには、膨張して画像表示部２０の後方へ迫り出したエアバッグ５０が床面などに衝突してそのときの衝撃を緩和する作用を発揮する。また、エアバッグ５０の通気性により、衝突時にガスがエアバッグ５０の外部へ逃がされることによる緩衝作用も併せて発揮されるために、テレビジョン受像機１０の損壊が確実に防止され、人・物に対する危険性もきわめて少なくなる。
【００２８】
図５はテレビジョン受像機１０に本来の機能を発揮させるのに必要な本来的回路７０や転倒保護用部品８０を説明的に示した概略構成図である。また、図６は転倒保護用部品８０の実行フローを示した説明図である。
【００２９】
図５のように、テレビジョン受像機１０には、それ本来の機能を発揮させるのに必要な回路である本来的回路７０と、転倒保護装置を構成している機能部品である転倒保護用部品８０とが備わっている。本来的回路７０には、受信復調回路、入力回路、制御回路、画像出力回路などが含まれる。また、転倒保護用部品８０には、加速度センサー４０、エアバッグ５０、インフレータ５５、転倒防護制御回路５６、充電回路５７などが備わっている。そして、電源回路９０が、本来的回路７０と転倒保護用部品８０に共用されている。
【００３０】
図５に示した構成によると、電源回路９０から供給される電力によって本来的回路７０と転倒防護部品８０とが作動する。また、停電時などには、充電回路５７に蓄電されている電力による転倒防護部品８０とが作動する。
【００３１】
図６に示した転倒保護用部品８０の実行フローを、図１又は図２、図４、図５などを参照しながら説明する。
【００３２】
この実行フローにおいて、加速度センサー４０は、画像表示部２０の傾倒角度が基準値を超えたことを検出してその基準値超信号を出力する機能（倒れ有無検出信号の出力機能）と、画像表示部２０の傾倒方向を検出してその傾倒方向に見合って前倒れ信号と後倒れ信号とを選択的に出力する機能とを発揮する。
【００３３】
この実行フローにおいて、加速度センサー４０は、画像表示部２０の倒れ有無と倒れ方向とを常時監視している。また、インフレータ５５は、転倒防護制御回路５６からの着火信号の出力の有無を常時監視している。
【００３４】
加速度センサー４０により、画像表示部２０の傾倒角度が基準値を超えたことを検出してその基準値超信号を出力すること、及び、前倒れ信号と後倒れ信号とのいずれかを選択的に出力すること、とが行われると、その基準値超信号、及び、前倒れ又は後倒れのいずれかの信号に基づいて、転倒防護制御回路５６が着火信号を出力し、インフレータ５５を起動させる。このときのインフレータ５５の起動によってエアバッグ５０にガスが給送され、エアバッグ５０が瞬間的に、かつ、急峻に膨張して、画像表示部２０の前後両側に迫り出す。そのため、図４のように、画像表示部２０が矢印Ｆのように前方へ傾倒したとき、及び、画像表示部２０が矢印Ｒのように後方へ傾倒したとき、のいずれの場合でも、膨張したエアバッグ５０が床面などに衝突してそのときの衝撃を緩和する。併せて、エアバッグ５０の通気性により、衝突時にガスがエアバッグ５０の外部へ逃がされることによる緩衝作用も発揮される。したがって、テレビジョン受像機１０の損壊が確実に防止され、人・物に対する危険性もきわめて少なくなる。
【００３５】
図６の実行フローでは、加速度センサー５０が、倒れ有無検出信号の出力機能と、前倒れ信号と後倒れ信号とを選択的に出力する機能と、を備えているけれども、この点は、加速度センサー５０の倒れ有無検出信号の出力機能だけを利用してインフレータ５５を起動させるようにすることも可能である。
【００３６】
また、前倒れ信号と後倒れ信号とのいずれかを選択的に出力する加速度センサー５０の機能を利用して、加速度センサー５０が前倒れ信号を出力したときには、膨張したエアバッグ５０を、画像表示部２０の前側へのみ迫り出させ、加速度センサー５０が後倒れ信号を出力したときには、膨張したエアバッグ５０を、画像表示部２０の後側へのみ迫り出させるように構成することも可能である。
【符号の説明】
【００３７】
１０  テレビジョン受像機
２０  画像表示部
４０  加速度センサー
５０  エアバッグ
５５  インフレータ
５６  転倒防護制御回路（制御回路）
【図１】
2012222737.tif 000003
【図２】
2012222737.tif 000004
【図３】
2012222737.tif 000005
【図４】
2012222737.tif 000006
【図５】
2012222737.tif 000007
【図６】
2012222737.tif 000008
【図７】
2012222737.tif 000009
【図８】
2012222737.tif 000010